(57)【要約】【課題】本発明は、患者の胴が手術の間に移動され得る位置に患者を維持するための方法および装置を提供し、例えば、これによって、胸骨が開胸手術後に閉じられ得る。【解決手段】本装置は、それぞれの肩甲骨を接触するための２つの接触部材と、グリップ位置に接触部材を維持するための支持手段とを備え、使用の際に、各々の接触部材は、それぞれの肩甲骨に力を与えて、患者の胸骨を閉じる。接触部材は、患者の肩甲骨の下で助手の外科医／麻酔医の手の代わりをする。グリップ位置において、接触部材は、力（例えば、対向する側方力）を付与して、肩甲骨を持ち上げて圧迫し、胸骨を閉じることができる。【選択図】図１
2010515475.tif 000002
【特許請求の範囲】
【請求項１】
開胸手術後に患者の胸骨が閉じられ得る位置に患者を維持するための装置であって、前記装置は、それぞれの肩甲骨と接触するための２つの接触部材と、使用の際に、各々の前記接触部材が前記それぞれの肩甲骨に力を与えて、前記患者の胸骨を閉じるグリップ位置に、前記接触部材を維持するための支持手段とを備える、装置。
【請求項２】
前記支持手段が、前記グリップ位置に前記接触部材を解放可能に維持するように適合される、請求項１に記載の装置。
【請求項３】
前記支持手段が、静止位置から前記グリップ位置に前記接触部材を移動させるように適合される、請求項１または２に記載の装置。
【請求項４】
前記支持手段が、側方力が前記肩甲骨に実質的に付与され得ない実質的に水平な静止位置から、対向する側方力が前記肩甲骨に付与され得る前記グリップ位置に、前記接触部材を移動させるように適合される、請求項３に記載の装置。
【請求項５】
前記支持手段が、前記グリップ位置から前記実質的に水平な静止位置に前記接触部材を移動させるように適合される、請求項４に記載の装置。
【請求項６】
前記支持手段が、使用の際に、前記患者の正中線から離れた前記接触部材の端部の少なくとも一部を持ち上げることによって、前記グリップ位置に前記接触部材を移動させるように適合される、請求項３〜５のいずれか１項に記載の装置。
【請求項７】
前記支持手段が、機械式、空気圧式または油圧式である、請求項１〜６のいずれか１項に記載の装置。
【請求項８】
前記支持手段が、少なくとも１つのラチェット機構を備える、請求項７に記載の装置。
【請求項９】
前記支持手段が、少なくとも１つのウインチおよびケーブルを備える、請求項７に記載の装置。
【請求項１０】
前記少なくとも１つのケーブルが、前記接触部材に接続されるか、または前記接触部材を通して伸び、それによって、前記ウインチ上の前記ケーブルの巻き上げにより、前記接触部材の最外端部が持ち上がる、請求項９に記載の装置。
【請求項１１】
前記支持手段が、空気圧式または油圧式であり、各々の前記接触部材の下に配置される膨張性空気袋を備える、請求項７に記載の装置。
【請求項１２】
前記接触部材の前記最外端部が、前記支持手段と協動するフレームに取り付けられる、請求項１〜１１のいずれか１項に記載の装置。
【請求項１３】
前記接触部材が、使用の際に、前記患者の正中線に平行である方向に延びるひと続きのスラットから形成される、請求項１〜１２のいずれか１項に記載の装置。
【請求項１４】
各々の前記スラットが、使用の際に、前記患者から離れて配置するための幅広い基部、および狭い上部を有する台形の形状の横断面を有する、請求項１３に記載の装置。
【請求項１５】
前記スラットの少なくとも一部の前記基部が、ヒンジで隣接するスラットの前記基部に接続され、前記支持手段が、それらが前記ヒンジで回転される位置で前記スラットを維持するように適合され、それによって、前記隣接するスラットの上部が近接する、請求項１４に記載の装置。
【請求項１６】
前記支持手段が、少なくとも１つのケーブルおよびウインチを備え、前記ケーブルまたは各々のケーブルが、前記スラットを通して伸び、それによって、使用の際に、それが前記患者の正中線を横断する、請求項１５に記載の装置。
【請求項１７】
前記接触部材が前記グリップ位置にある場合、前記接触部材が、前記それぞれの肩甲骨に対する前記側方力を増大させるための少なくとも１つの突出性要素を備える、請求項１〜１６のいずれか１項に記載の装置。
【請求項１８】
前記接触部材が、使用の際に、前記突出性要素が前記患者の正中線に並べられるように配置される複数の前記突出性要素を備える、請求項１７に記載の装置。
【請求項１９】
前記突出性要素が、選択的に突出可能である、請求項１８に記載の装置。
【請求項２０】
前記突出性要素（複数も含む）が、膨張性要素（複数も含む）である、請求項１７、１８または１９に記載の装置。
【請求項２１】
使用の際に、前記患者の正中線の下に位置するように配置される独立した胴移動手段をさらに備える、請求項１〜２０のいずれか１項に記載の装置。
【請求項２２】
前記独立した胴移動手段が、機械式、空気圧式または油圧式手段によって持ち上げ可能であり、それによって、使用の際に、それが、患者の脊椎を持ち上げ、および／または前記接触部材の１つの方へ前記患者を傾ける、請求項２１に記載の装置。
【請求項２３】
請求項１〜２２のいずれか１項に記載の装置の使用を含む、患者の胴を操作する方法。
【請求項２４】
開胸手術後に患者の胸骨が閉じられ得る位置に患者を維持する方法であって、当該方法は、２つの接触部材と、前記接触部材のグリップ位置であって、前記接触部材が、それぞれの肩甲骨に力を与えて、前記患者の胸骨を閉じることができる、グリップ位置を維持するための支持手段とを有する装置を提供すること；前記患者のそれぞれの肩甲骨の下に前記装置の前記接触部材を配置すること；前記グリップ位置に前記接触部材を移動させること；および前記支持手段を用いて前記グリップ位置に前記接触部材を維持することを含む、方法。
【請求項２５】
側方力が前記肩甲骨に実質的に付与されない実質的に水平方向において前記患者のそれぞれの肩甲骨の下に前記接触部材を配置すること、および対向する側方力が前記肩甲骨に付与される前記グリップ位置に前記接触部材を移動させることを含む、請求項２４に記載の方法。
【請求項２６】
前記接触部材の最外端部の少なくとも一部を持ち上げることを含む、請求項２４または２５に記載の方法。
【請求項２７】
前記支持手段を用いて、前記グリップ位置に前記接触部材を移動させることを含む、請求項２４〜２６のいずれか１項に記載の方法。
【請求項２８】
機械式、空気圧式または油圧式支持手段によって、前記グリップ位置において前記接触部材を維持することを含む、請求項２４〜２７のいずれか１項に記載の方法。
【請求項２９】
ラチェット機構を用いて、前記グリップ位置において、前記接触部材を維持することを含む、請求項２８に記載の方法。
【請求項３０】
少なくとも１つのウインチおよびケーブルを用いて、前記接触部材の前記グリップ位置に前記接触部材を移動させること、および／または前記接触部材を維持することを含む、請求項２８に記載の方法。
【請求項３１】
空気圧式または油圧式支持手段を用いて、前記グリップ位置に前記接触部材を移動させること、および／または前記接触部材を維持することを含む、請求項２８に記載の方法。
【請求項３２】
各々の前記接触部材の下面に配置される膨張性空気袋を有する装置を提供すること、および前記空気袋を膨張させて、前記グリップ位置に前記接触部材の少なくとも一部を押すことを含む、請求項３１に記載の方法。
【請求項３３】
前記接触部材が、前記患者の正中線に対して平行な方向に延びるひと続きのヒンジで連結されたスラットから形成される装置を提供すること、および前記それらのヒンジで前記スラットを回転させることによって、前記接触部材を移動させることを含む、請求項２４〜３２のいずれか１項に記載の方法。
【請求項３４】
ウインチ上の前記ケーブルを巻き上げることによって、前記スラットを通して伸びる前記ケーブルの長さを減少させることによって、前記スラットを回転させることを含む、請求項３３に記載の方法。
【請求項３５】
突出性要素を前記接触部材から突出させることによって、前記グリップ位置において前記肩甲骨に対する前記側方力を増大させることをさらに含む、請求項２４〜３４のいずれか１項に記載の方法。
【請求項３６】
開胸手術後に患者の胸骨を閉じる方法であって、当該方法は、２つの接触部材と、前記接触部材のグリップ位置であって、前記接触部材が、それぞれの肩甲骨に力を与えて、前記患者の胸骨を閉じ得るグリップ位置を維持するための支持手段とを有する装置を提供すること；前記患者のそれぞれの肩甲骨の下に前記装置の前記接触部材を配置すること；前記グリップ位置に前記接触部材を移動させること；前記支持手段を用いて前記グリップ位置に前記接触部材を維持して、閉鎖位置で前記胸骨を固定することを含む、方法。
【請求項３７】
添付の図面を参照して本願明細書に実質的に記載されるいずれか１つの実施形態に記載の装置。
【請求項３８】
添付の図面を参照して本願明細書に実質的に記載されるいずれか１つの実施形態に記載の方法。
【発明の詳細な説明】
【技術分野】
【０００１】
本発明は、胸骨切開による開胸手術後に使用するための装置に関する。特に、本発明は、手術の間に所定の位置、例えば、開胸手術後に胸骨が閉じられ得る位置に患者を維持するための装置、およびその装置を使用する方法に関する。
【背景技術】
【０００２】
胸骨切開は、切開が胸骨でなされて、長手方向に胸骨を分割するかまたは開いて、胸腔に手が届くようにして、心臓および／または肺の手術を可能にする外科的処置である。
【０００３】
心臓／肺の手術が完了した後、分割した胸骨の端部を並べて、その端部を一緒に固定することによって胸腔を閉じることが必要である。これは、典型的に、胸腔がまだ開いている間に、患者の胸骨に金属ワイヤを通し、分割した胸骨の端部を強制的に位置合わせし、ワイヤを強く引っ張って端部を一緒に保持し、そしてワイヤをねじって胸骨位置に固定することによって達成される。
【０００４】
分割した胸骨の端部を強制的に一緒にすることは、典型的に、助手の外科医または麻酔医が、彼らの手のひらを患者の胴の下に置き、手動で患者の肩甲骨（ｓｃａｐｕｌａ）（肩甲骨（ｓｈｏｕｌｄｅｒ  ｂｌａｄｅ））を持ち上げることによって達成される。同時に、外科医は金属ワイヤを引っ張って、位置合わせを手伝う。
【０００５】
このような処置は多数の問題を有する。まず、分割された胸骨の端部を並べるのに必要とされる力は、小さい患者でさえもかなりのものであり、そして、明らかに、必要な力は、患者の体格が増加するにつれて大きくなる。胸腔の閉鎖は、典型的に、約１０分かかり、助手の外科医または麻酔医は、その時間、患者の肩を持ち上げた位置に維持することを必要とされる。多くの場合、助手の外科医（実際に１人が存在する場合）または麻酔医は、しばしば、必要とされる長さの時間の間、必要とされる位置に、患者の肩を物理的に維持できない。従って、助手の外科医／麻酔医は、処置の間、休息することを必要とする場合がある。さらに、麻酔医は、患者の肩の位置まで持ち上げて維持することに関わっている間、彼／彼女は、麻酔の重要な役割に集中できない。
【０００６】
助手の外科医／麻酔医が休息しているか、または操作を実施できない場合、分割した胸骨を強制的に一緒にするのを補助するため、および／または胸骨の端部を一緒に保持するために、患者の胸骨を通るワイヤは、しばしば、胸骨の端部を一緒に引っ張るために使用される。これにより、骨が軟質である場合またはワイヤの破損部分を通る場合、ワイヤの切断が生じる場合がある。このことは、全てのワイヤを取り除いて、ワイヤ処置を始めから再開しなければならないため、出血の危険性を増加させる可能性を有し、非常に時間がかる。
【発明の概要】
【発明が解決しようとする課題】
【０００７】
本発明は、上記の少なくともいくつかの問題を改善することを目的とし、胸骨の端部の位置合わせが過度の力を必要とせずに容易になされる位置に患者を維持する装置およびその装置の使用方法を提供する。これにより、ワイヤの破損／位置ずれの発生が減少し、また、助手の外科医または麻酔医が、長引く身体的労力から軽減される。特定の実施形態において、この装置は、胴を操作するため、より多くの場合、例えば、患者の脊椎を持ち上げるため、または一方へ患者を回転もしくは押し込み、外科医が関連する処置を実施する際に簡単に手が届くようにするためのさらなる手段を備える。
【課題を解決するための手段】
【０００８】
従って、第１の態様において、本発明は、開胸手術後に患者の胸骨が閉じられ得る位置に患者を維持するための装置であって、この装置は、それぞれの肩甲骨と接触するための２つの接触部材と、グリップ位置においてその接触部材を維持するための支持手段とを備え、使用の際に、各々の接触部材は、それぞれの肩甲骨に力を与えて、患者の胸骨を閉じる、装置を提供する。
【０００９】
接触部材は、患者の肩甲骨の下で助手の外科医／麻酔医の手の代わりをする。グリップ位置において、接触部材は、力（例えば、対向する側方力）を付与して、肩甲骨を持ち上げて圧迫し、胸骨を閉じることができる。支持手段は、必要な時間、グリップ位置において接触部材を維持することができ、助手の外科医／麻酔医によるいかなる身体的労力も必要とせず、かつ、ワイヤの過剰な伸張を必要とせずに胸腔の閉鎖を可能にし、胸骨の２つの端部を近づける。
【００１０】
好ましくは、支持手段は、グリップ位置において接触部材を解放可能に維持できるように適合される。従って、胸腔の閉鎖が完了した後、接触部材は、グリップ位置から解放され得る。
【００１１】
好ましくは、支持手段は、接触部材を静止位置からグリップ位置に移動させるように適合される。接触部材が、患者の肩甲骨を持ち上げて圧迫することができるグリップ位置にそれらを移動させることができる装置を提供することによって、助手の外科医／麻酔医側の減少された労力、または最低限の労力で、かつ、金属ワイヤの過剰な伸張を必要とせずに、胸骨は閉じられ得る。
【００１２】
好ましくは、支持手段は、肩甲骨に実質的に側方力を付与され得ない実質的に水平静止位置から、対向する側方力が肩甲骨に付与され得るグリップ位置に、接触部材を移動させるように適合される。
【００１３】
実質的に水平静止位置に位置し得る接触部材を与えることによって、接触部材は、手術の間、手術台に対して平らのままの状態であり得る。これにより、それらが、手術を妨げることを防止する。胸腔の閉鎖が手術後に必要とされる場合、接触部材が、グリップ位置に支持手段によって移動されてもよい。グリップ位置において、各々の接触部材は、それぞれの肩甲骨に隣接することができ、その結果、接触部材は、手術台から肩甲骨を持ち上げ、それらを互いの方へ圧迫して、分割された胸骨の端部を一緒に移動させることができる。
【００１４】
最も好ましくは、支持手段は、それらが、接触部材をグリップ位置から実質的に水平静止位置に戻らせるように適合される。これにより、胸腔の閉鎖が完了した後、接触部材が、手術台で平らな状態になることが可能になり、その結果、装置は患者に作用しないか、またはその結果、患者の下から容易に除去され得る。
【００１５】
好ましくは、支持手段は、使用の際に、患者の正中線から離れた接触部材の端部の少なくとも一部（本明細書中以下、「最外端部」と呼ぶ）を持ち上げることによって、接触部材をグリップ位置に移動させるように適合される。
【００１６】
支持手段は、例えば、機械式、空気圧式または油圧式であってもよい。
【００１７】
例えば、支持手段は、使用の際に、例えば、手術台の表面から接触部材の少なくとも一部（例えば、接触部材の最外端部の少なくとも一部）を持ち上げること（例えば、手動で持ち上げること）を可能にし、次いで、接触部材の持ち上げられたグリップ位置をロックできる少なくとも１つのラチェット機構を備えてもよい。
【００１８】
好ましくは、ラチェット機構は、接触部材のその後の低下を可能にするためのリリースキャッチ（ｒｅｌｅａｓｅ  ｃａｔｃｈ）を備える。
【００１９】
あるいは、支持手段は、少なくとも１つのウインチおよびケーブルを備えてもよい。最も好ましくは、少なくとも１つのウインチは電動ウインチであり、その結果、接触部材は、いかなる身体的労力も必要とせず、グリップ位置に移動させることができる。少なくとも１つのケーブルは、接触部材に接続されてもよいか、または接触部材を通って伸びてもよく、その結果、ウインチ上のケーブルの巻き上げにより、接触部材の最外端部の持ち上げが生じる。これによって、巻き上げられたケーブルは、接触部材が、肩甲骨に対向する側方力を付与し得る持ち上げられた位置において接触部材の最外端部を維持する。
【００２０】
なおさらなる実施形態において、支持手段は、空気圧式または油圧式、最も好ましくは、電気的に操作された空気圧式または油圧式支持手段であってもよく、その結果、接触部材は、助手の外科医／麻酔医によるいかなる身体的労力も必要とせずに、グリップ位置に移動され、維持されることができる。好ましくは、支持手段は、各々の接触部材の下面（すなわち、グリップ位置に患者を隣接できる位置の対向側）に配置される膨張性空気袋を備える。好ましくは、膨張性空気袋は、可逆的に膨張性／収縮性である。膨張性空気袋は、好ましくは、接触部材が、その接触部材と、手術台との間に膨張性空気袋を備える手術台で実質的に平らな状態であり得る収縮した状態において十分に低いプロファイルを有する。膨張した状態において、膨張性空気袋は、手術台からグリップ位置に接触部材の少なくとも一部（例えば、最外端部）を押すことができ、それらを、接触部材が胸骨に対向する側方力を付与できるこの位置に維持することができる。
【００２１】
接触部材は、使用の際に、患者の正中線の下に直接配置されるベース部に結合されてもよい。このことは、装置の配置に役立ち、また、装置の分離部の数も減少させる。接触部材は、ベース部との結合部に沿って回転可能であってもよい。例えば、支持手段は、接触部材が、ベース部に対して傾いているグリップ位置を維持するように適合されてもよい。好ましくは、支持手段は、接触部材およびベース部の両方が、実質的に水平である静止位置から、接触部材がベース部に対して傾いているグリップ位置に、接触部材を回転させるように適合される。
【００２２】
接触部材およびベース部は、一体であってもよい。例えば、接触部材およびベース部は、可撓性材料、例えば、布材料またはプラスチック材料の単一のシートから形成されてもよい。
【００２３】
接触部材の最外端部は、好ましくは、支持手段と協動するフレームに取り付けられる。支持手段は、フレームの少なくとも一部を持ち上げられた位置、例えば、手術台の高さより上の位置に維持でき、その結果、接触部材の最外端部の少なくとも一部は、グリップ位置においてフレームから吊るされる。例えば、接触部材およびベース部が、可撓性材料の単一のシートである場合、その材料のシートは、患者の胴体の上部がとらえられ得るハンモック構造を形成できる。
【００２４】
好ましくは、フレームは、接触部材の最外端部に沿って少なくとも部分的に延びるサイドアーム、およびそのサイドアームに結合するクロスバー（このクロスバーは、支持手段と協動する）を有する。クロスバーは、（例えば、手動で）持ち上げられて、静止位置（クロスバーおよびサイドアームが実質的に水平である）から、サイドアームが水平に対して傾いているグリップ位置までフレームを移動させることができ、その結果、クロスバーに近接する接触部材の最外端部は、サイドアームから吊るされる。支持手段は、クロスバーの持ち上げられた位置を維持して、グリップ位置に接触部材を維持できる。
【００２５】
接触部材および必要に応じて、ベース部は、好ましくは、使用の際に、患者の正中線に対して平行である方向に延びるひと続きのスラット、例えば、パッド付きスラットから形成されてもよい。最も好ましくは、横断面図で見た場合、スラットは、幅の広い基部（使用の際に患者から離れている）および狭い上部（使用の際に患者に隣接している）を有する。すなわち、スラットは、台形の形状をした横断面図を有する。このことは、隣接するスラットの基部は、隣接するスラットの上部より互いに近いことを意味する。スラットの少なくとも一部の基部は、ヒンジで隣接するスラットの基部に接続され、支持手段は、これらのヒンジでスラットが回転される位置においてスラットを維持するために作用し、その結果、隣接するスラットの上部は、互いに近づく。最も好ましくは、支持手段は、最外スラット（すなわち、接触部材）が患者の胸骨に側方力を与えることができるこの「巻かれた」グリップ位置に、スラットを移動させるように適合される。
【００２６】
これらの実施形態において、支持手段は、（上記のように）ケーブルおよびウインチを備えてもよい。そのケーブルまたは各々のケーブルは、スラットを通して伸び、その結果、使用の際に、それは、患者の正中線を横断する。そのケーブルまたは各々のケーブルは、好ましくは、各々のスラットの基部より上にスラットを通して伸びる。ケーブルの長さが最大になる場合、接触部材は、水平方向にある。すなわち、それらは、手術台に対して平らの状態であり得る。スラットを通して伸びるケーブルの長さが、ウインチによって減少するにつれて、スラットの上部は、互いの方へ引っ張られ、接触部材は、それらが患者の胸骨を持ち上げて圧迫することができるグリップ位置に巻かれる。スラットを通して伸びるケーブルの減少した長さを維持することによって、グリップ位置に接触部材が維持される。
【００２７】
好ましくは、接触部材は、少なくとも１つの突出性要素を備えてもよい。この少なくとも１つの突出性要素は、接触部材がグリップ位置にある場合、それぞれの肩甲骨に対する側方力を増大させるために使用され得る。
【００２８】
好ましくは、接触部材は、複数の突出性要素を備える。これらの突出性要素は、使用の際に、それらが患者の正中線に並べられるように配置されてもよいか、またはそれらは、使用の際に、それらが患者の正中線に横断するように配置されてもよい。
【００２９】
突出性要素は、好ましくは、選択的に突出可能である。例えば、その要素が、使用の際に、それらが、患者の正中線に並べられるように配置される場合、それらは選択的に突出されて、患者の胸骨に追加の力を付与できる。小さい患者については、追加の力は、使用の際に、患者の正中線に近接して配置される突出性要素を用いて付与され得る。大きい患者については、追加の力は、使用の際に、患者の正中線から離れて配置される突出性要素を用いて付与され得る。
【００３０】
最も好ましくは、突出性要素は、膨張性要素である。
【００３１】
一実施形態において、装置は、使用の際に、患者の正中線の下に配置されるさらなる独立した胴移動手段をさらに含む。例えば、それは、接触部材の間に、上で議論したベース部上に設けられてもよいか、またはそのベース部のそばに設けられてもよい。この胴移動手段は、上記の支持手段と同様の条件（例えば、機械式、空気圧式または油圧式）で患者の正中線支持手段の形態をとってもよい。一実施形態において、それは、患者の脊椎と接触する膨張性セルである。胴移動手段は、ベース部から持ち上がるように適合され、それによって、患者のさらなる操作を与え、外科医に手術の間の簡易化した接近を与える。例えば、胴移動手段は、圧力を付与して、胸骨を開口してもよいか、または患者を、例えば、手術の間に胸の上で所望され得るある角度に（正中線支持および接触部材の両方を用いて）してもよい。好ましくは、この胴移動手段は、対称的であり、持ち上げられた場合、横断面において曲がっており、患者の正中線と接触するように適合される頂部を有する。他の実施形態において、それは、上記のように台形であってもよい。
【００３２】
第２の態様において、本発明は、上記の装置の使用を含む、手術の間、前または後に患者を操作する方法を提供する。好ましい実施形態において、この方法は、患者の胸骨が、開胸手術の後に閉じられ得る位置に患者を維持するためのものであり、この方法は、２つの接触部材と、その接触部材のグリップ位置であって、その接触部材は、それぞれの肩甲骨に力を与えて、患者の胸骨を近づけることができるグリップ位置を維持するための支持手段とを有する装置を提供すること；患者のそれぞれの肩甲骨の下に装置の接触部材を配置すること；グリップ位置に接触部材を移動させること；および支持手段を用いてグリップ位置に接触部材を維持することを含む。
【００３３】
好ましくは、この方法は、実質的に側方力が肩甲骨に付与されない、実質的に水平方向において患者のそれぞれの肩甲骨の下に接触部材を配置すること、および対向する側方力が肩甲骨に付与されるグリップ位置に接触部材を移動させることを含む。
【００３４】
この方法は、好ましくは、接触部材の最外端部の少なくとも一部を持ち上げることを含む。
【００３５】
好ましくは、この方法は、支持手段を用いてグリップ位置に接触部材を移動させることを含む。
【００３６】
好ましくは、この方法は、機械式支持手段、例えば、ラチェット機構またはウインチによって、あるいは空気圧式または油圧式支持手段によって、グリップ位置に接触部材を維持することを含む。
【００３７】
例えば、この方法は、接触部材の少なくとも一部（例えば、最外端部の少なくとも一部）を移動させること（例えば、手動で持ち上げること）、およびラチェット機構を用いて持ち上げられた位置をロックして、グリップ位置に接触部材を維持することを含んでもよい。
【００３８】
あるいは、この方法は、接触部材を移動させること、ならびに／または少なくとも１つのウインチおよびケーブルを用いて接触部材のグリップ位置に接触部材を維持することを含んでもよい。最も好ましくは、この方法は、電動ウインチを用いて、それによって、接触部材が、いかなる身体的労力も必要とせずにグリップ位置に移動されることを含む。
【００３９】
なおさらなる実施形態において、この方法は、接触部材を移動させること、および／または空気圧式もしくは油圧式支持手段を用いてグリップ位置に接触部材を維持することを含む。好ましくは、この方法は、各々の接触部材の下面に（すなわち、グリップ位置に患者を隣接できる対向側に）配置された膨張性空気袋を有する装置を提供すること、および空気袋を膨張させて、手術台からグリップ位置に接触部材の少なくとも一部（例えば、最外端部）を押すことを含む。この方法は、好ましくは、膨張性空気袋を用いて、接触部材が対向する側方力を肩甲骨に付与できる、その位置に最外端部を維持することを含む。
【００４０】
好ましくは、この方法は、接触部材が、ベース部に結合される装置を提供すること、および患者の正中線の下にベース部を配置することを含む。好ましくは、この方法は、実質的に水平静止位置から、接触部材の両方がベースに対して傾いているグリップ位置に、ベース部との結合部で接触部材を回転させることを含む。
【００４１】
一部の実施形態において、この方法は、接触部材の最外端部に沿って、少なくとも部分的に延びるサイドアームを備えるフレームを有する装置を提供すること、およびフレームを移動させて、グリップ位置に接触部材を移動させることを含む。より好ましくは、この方法は、サイドアームに結合するクロスバーをさらに備えるフレームを提供すること、および例えば、手術台の高さより上にクロスバーを持ち上げて、その結果、サイドアームが、水平位置から、サイドアームが水平に対して傾き、クロスバーに近接する接触部材の最外端部がサイドアームから吊るされるグリップ位置に移動させることを含む。
【００４２】
他の実施形態において、この方法は、接触部材および必要に応じてベース部が、好ましくは、患者の正中線に平行な方向に延びるひと続きのスラット、例えば、パッド付きスラットから形成される装置を提供することを含む。最も好ましくは、スラットは、幅広い基部（使用の際に患者から離れている）、および狭い上部（使用の際に患者に隣接する）を有する。すなわち、隣接するスラットの基部は、隣接するスラットの上部より互いに近づいている。この場合、スラットの少なくとも一部の基部は、回転可能ヒンジで隣接するスラットの基部に接続される。この方法は、好ましくは、これらのヒンジでスラットを回転させることによって接触部材を移動させて、その結果、スラットの上部が互いの方に移動することを含む。これにより、接触部材およびベース部が、最外スラット（すなわち、接触部材）が患者の肩甲骨に側方力を与えるグリップ位置に「巻かれる」。
【００４３】
これらの実施形態において、この方法は、好ましくは、（上記のように）支持手段としてケーブルおよびウインチを有する装置を提供することを含む。そのケーブルまたは各々のケーブルは、スラットを通して伸び、その結果、それは、患者の正中線を横断する。そのケーブルまたは各々のケーブルは、好ましくは、各々のスラットの基部より上にスラットを通して伸びる。ケーブルの長さが最大である場合、接触部材は、水平位置において患者の肩甲骨の下に配置される。すなわち、それらは、手術台に対して平らな状態のままである。ウインチによってケーブルの長さを減少させることにより、スラットの上部を互いの方へ引っ張り、接触部材が、それらが持ち上げられて、患者の肩甲骨を圧迫するグリップ位置に巻かれる。
【００４４】
好ましくは、この方法は、各々の接触部材に少なくとも１つの突出性要素を提供すること、および突出性要素を接触部材から突出させて、グリップ位置においてそれぞれの肩甲骨に対する側方力を増大させることをさらに含む。
【００４５】
好ましくは、この方法は、突出性要素が患者の正中線に並べられるか、または患者の正中線を横断するように、好ましく配置される複数の突出性要素を提供することを含む。この方法は、好ましくは、選択的に突出性要素を突出させることを含む。例えば、この要素が患者の正中線に並べられる場合、それらは、選択的に突出されて、患者の肩甲骨に追加の力を与える。小さい患者に関して、追加の力は、患者の正中線に近接して配置される突出性要素を突出させることによって、付与される。大きい患者に関して、追加の力は、患者の正中線から離れて配置される突出性要素を突出させることによって、付与され得る。
【００４６】
最も好ましくは、突出性要素は、膨張性要素であり、この方法は、突出性要素を膨張する（好ましくは、選択的に膨張する）ことを含む。
【００４７】
好ましくは、この方法は、胸腔の閉鎖が完了した後、グリップ位置から接触部材を解放することをさらに含む。
【００４８】
この方法は、患者の正中線の下に配置された胴移動手段（存在する場合）を操作するか、または持ち上げ、その結果、患者を操作して、手術の間、例えば、所望され得る患者の角度で、外科医に簡易化した接近を与えることを含んでもよい。
【００４９】
第３の態様において、本発明は、開胸手術後に患者の胸骨を閉じる方法を提供し、この方法は、２つの接触部材と、その接触部材のグリップ位置であって、それぞれの肩甲骨に力を与えて、患者の胸骨を閉じ得るグリップ手段を維持するための支持手段とを有する装置を提供すること；患者のそれぞれの肩甲骨の下に装置の接触部材を配置すること；グリップ位置に接触部材を移動させること；支持手段を用いてグリップ位置に接触部材を維持して、閉鎖位置で胸骨を固定することを含む。
【００５０】
好ましくは、第３の態様の方法は、第２の態様について上で議論した工程を含む。
【００５１】
好ましくは、この方法は、患者の交差する筋肉に取り付けられたワイヤをねじることによって、閉じられた位置で胸骨を固定することを含む。
【００５２】
本発明のさらなる態様は、手術の間、患者を操作するための第１の態様の装置の使用、および第２または第３の態様の方法を含む。
【００５３】
本発明の好ましい実施形態は、ここで、添付の図面を参照して記載される。
【図面の簡単な説明】
【００５４】
【図１】静止位置における第１の好ましい実施形態の斜視図を示す。
【図２】図２Ａおよび図２Ｂは、静止位置における第１の好ましい実施形態の俯瞰図を示す。
【図３】静止位置における第１の好ましい実施形態の側面図を示す。
【図４】グリップ位置における第１の好ましい実施形態の斜視図を示す。
【図５】グリップ位置における第１の好ましい実施形態の側面図を示す。
【図６】静止位置における第２の好ましい実施形態の斜視図を示す。
【図７】図７Ａおよび図７Ｂは、静止位置における第２の好ましい実施形態の俯瞰図を示す。
【図８】図８Ａおよび図８Ｂは、大きい患者についての静止位置およびグリップ位置における第２の好ましい実施形態の端面図を示す。
【図９】図９Ａおよび図９Ｂは、小さい患者についての静止位置およびグリップ位置における第２の好ましい実施形態の端面図を示す。
【図１０】第２の好ましい実施形態のスラットを通る長手方向の断面図を示す。
【図１１】グリップ位置における第２の好ましい実施形態の斜視図を示す。
【図１２】静止位置における第３の好ましい実施形態の斜視図を示す。
【図１３】図１３Ａおよび図１３Ｂは、静止位置における第３の好ましい実施形態の俯瞰図を示す。
【図１４】図１４Ａは、大きい患者についての静止位置における第３の好ましい実施形態の端面図を示し、図１４Ｂは、大きい患者についてのグリップ位置における第３の好ましい実施形態の端面図を示し、図１４Ｃは、大きい患者についての突出している要素を備えるグリップ位置における第３の好ましい実施形態の端面図を示す。
【図１５】図１５Ａは、小さい患者についての静止位置における第３の好ましい実施形態の端面図を示し、図１５Ｂは、小さい患者についてのグリップ位置における第３の好ましい実施形態の端面図を示し、図１５Ｃは、小さい患者についての突出している要素を備えるグリップ位置における第３の好ましい実施形態の端面図を示す。
【図１６】グリップ位置における第３の好ましい実施形態の斜視図を示す。
【図１７】図１７Ａは、第４の好ましい実施形態の斜視図を示し、図１７Ｂは、第４の好ましい実施形態の端面図を示し、図１７Ｃは、第４の好ましい実施形態の端面図を示す。
【図１８】さらなる独立した胴移動手段を特徴とする本発明の実施形態の斜視図を示す。
【発明を実施するための形態】
【００５５】
図１は、静止位置における、すなわち、接触部材がグリップ位置にない場合の第１の好ましい実施形態の斜視図を示す。
【００５６】
装置は、ベース部２と一体であり、布材料の単一のシート３を一緒に形成する２つの接触部材１を備える。接触部材の端部は、その端部の長さに沿って延びるサイドアーム６を備えるフレーム５に接続される。接触部材の端部から延び、かつその端部に平行であるサイドアーム６は、そのサイドアームがより幅広く間隔をあけられる幅広部６Ａを形成する。幅広部は、患者の頭部を置くことができる間隔を提供する（図２Ａおよび図２Ｂを参照のこと）。サイドアーム６は、そのサードアームにヒンジで連結され、手術台の端部に対して垂直に静止できるハンドル７で終結する。
【００５７】
２つのサイドアーム６は、支持手段９と協動するクロスバー８によって接続される。支持手段は、中空ロッド１２内に設けられるラチェット機構を備え、この機構は、垂直バー１１上のくぼみと協動して、中空ロッド１２からの垂直バー１１の伸張を可能にするが、バーの収縮を防ぐ。垂直バー１１は、クロスバー８を静止させるスリーブ１０で終結する。中空ロッド１２は、踏み板１３で終結する。
【００５８】
（図１に示すように）静止位置において、シート３は、手術台４の上に置かれ、その結果、そのシートは平ら／水平になる。すなわち、接触部材およびベース部は、手術台４上で全て支持される。ハンドル７は、サイドアーム６から垂直に垂れ下がり、手術台の端部に対して静止し、その結果、それらは、患者近くの麻酔医または外科医の動作を妨げない。
【００５９】
患者は、図２Ａおよび図２Ｂに示すように、開胸手術前にシート３上に配置される。図２Ａは大きい患者の配置を示し、一方、図２Ｂは小さい患者の配置を示す。両方の場合において、患者の正中線１４は、患者の肩甲骨の下にある接触部材１を備えるベース部２上に位置する。患者の頭部は、サイドアーム６の幅広部６Ａによって作られた空間内の手術台４上にある。
【００６０】
図３は、接触部材１のグリップ位置への移動の直前の静止位置における第１の実施形態の側面図を示す。この図において、装置の接触部材１、ベース部２およびサイドアーム６は、水平、すなわち、手術台４と同じ平面に見ることができる。ハンドル７は、（図２Ｂおよび図３に示すように）サイドアーム６と同じ平面で垂直位置（図１に示す）から水平位置に回転される。
【００６１】
図４および図５は、グリップ位置における第１の好ましい実施形態を示す。接触部材を、図１および図３に示す静止位置から、図４および図５に示すグリップ位置に移動させるために、ハンドル７を手動で持ち上げ、垂直バー１１を中空ロッド１２から伸張する。ラチェット機構により、伸張が可能になるが、バー１１の中空ロッド１２への収縮は防ぐ（従って、助手の外科医／麻酔医の側のいかなる身体的労力も必要とせずに、バー１１を所望の伸張に維持する）。助手の外科医／麻酔医は、垂直バー１１を中空ロッド１２から伸張させる場合、中空ロッドのあらゆる動きを防ぐために、彼らの足を拡大ベース１３に置くことができる。
【００６２】
垂直バー１１は、中空ロッドから伸張されるため、クロスバー８およびそのクロスバー８に接続されるサイドアーム６の端部は、水平から、すなわち、手術台４から持ち上げられ、その結果、サイドアーム６が水平に対して傾く。これにより、クロスバー８に近接する接触部材の最外端部は、（ベース部が患者の正中線の下の手術台に残っているままである）手術台４から持ち上げられる。これによって、シート３はハンモックを形成し、ここで、患者の胴体の上部がとらえられる。シート３の側面（すなわち、接触部材１）は、胸骨の分割された端部を一緒に押す側方力を、患者の肩甲骨に付与して、外科医が、患者の肋間筋を通して固定された金属ワイヤをねじることを可能にして、胸骨位置を固定する。
【００６３】
胸骨の位置を固定した後、リリースキャッチ（示さず）を使用して、ラチェット機構を解放して、垂直バー１１の中空ロッド１２への収縮を可能にし、サイドアーム６を下げて、接触部材６をそれらの水平静止位置に戻す。
【００６４】
図６は、静止位置における、すなわち、接触部材１がグリップ位置にない場合の第２の好ましい実施形態の斜視図を示す。
【００６５】
接触部材１およびベース部２は、図７Ａ（大きい患者）および図７Ｂ（小さい患者）に示されるように、患者の正中線に並べられるパッド付きスラット１５を備える。ベース部のスラットは、患者の正中線１４の下に直接配置され、接触部材のスラット１は、患者の肩甲骨の下に配置される。大きい患者（図７Ａ、図８Ａおよび図８Ｂを参照）に関して、接触部材を備えるスラットの数は、小さい患者（図７Ｂ、図９Ａおよび図９Ｂを参照）のものよりも多い。静止位置において、最外スラット１５は、隣接するスラットの下に折り畳まれる（図８Ａおよび図９Ａを参照）か、またはそれらは、手術台４の側面に対して隣接するスラットから垂直に垂れ下がる（図６を参照）。これにより、最外スラット１５が、外科医を妨げないことを確実にする。
【００６６】
各々のスラットは、（手術台に対して配置するための）幅広い基部、および（患者が静止できる）狭い上部を有し、（図８Ａ、図８Ｂ、図９Ａおよび図９Ｂに示すように）各スラットに台形の横断面を与える。これにより、隣接するスラットの上部の間に間隔１６が提供される。
【００６７】
スラットを通る長手方向の横断面を図１０に示す。各スラットは、パッド１８に取り囲まれる剛性スラット１７を備え、例えば、ＰＶＣの外側コーティング１９を有する。各スラットは、枢動ピンを備える管状ヒンジ２０で隣接するスラットに結合される。各スラットを通って横に伸びるのは、２つのケーブル２１（図１０に１つだけ示す）、例えば、それぞれのケーブルシース２２に取り囲まれた２ｍｍ直径のナイロンケーブルである。ケーブルは、電子制御パネル２３を用いて作動されるウインチ（示さず）に伸びる。
【００６８】
図６、図８Ａおよび図９Ａに示すように、静止位置において、スラットは、（図８Ａおよび図９Ａに示すように最外スラットは隣接するスラットの下に折り畳まれ、接触部材１は、厳密には水平ではないが）手術台４上に実質的に水平に位置する。静止位置において、スラットを通って伸びるケーブル２１の長さは最大である。接触部材をグリップ位置に移動させるために、電動ウインチが使用されて、ウインチ上のケーブル２１を巻き付けることによってスラットを通って伸びるケーブル２１の長さを減少させる。ケーブル２１の長さが減少するため、スラットはヒンジ２０で回転し、その結果、隣接するスラットの上部は、一緒に移動し、間隔１６を閉じる（図８Ｂおよび図９Ｂを参照）。この回転により、接触部材１が、それらが患者の肩甲骨を持ち上げて圧迫するグリップ位置の内側に巻き上げられる。大きい患者について、最外スラットは拡張して、患者の上部の胴がしっかりととらえられることを確実にする（図８を参照）。図１１は、最外スラット１５が拡張した状態のグリップ位置における第２の好ましい実施形態の斜視図を示す。
【００６９】
胸骨位置が固定された後、ケーブル２１は、ウインチから巻かれなくてもよく、接触部材のスラット１を下げて、それらをそれらの静止位置に戻す。
【００７０】
図１２は、静止位置における第３の好ましい実施形態の斜視図を示す。この実施形態において、２つの接触部材１は、ベース部２のいずれかの側に固定して設けられる。ベース部のスラットは、患者の正中線１４の下に直接配置され、接触部材のスラット１は、図１３Ａ（大きい患者）および図１３Ｂ（小さい患者）に示すように、患者の肩甲骨の下に配置される。
【００７１】
各々の接触部材の下に、図１４Ａおよび図１５Ａに収縮した状態（静止位置）において見ることができる膨張性空気袋２４（例えば、ＰＶＣ膨張性空気袋）がある。収縮した空気袋のプロファイルは、接触部材が位置し得る位置より十分に低く、手術台４上に実質的に水平面である。接触部材を、（図１４Ｂ、図１５Ｂおよび図１６Ｂに示すように）グリップ位置に移動させるために、膨張性空気袋を、圧縮器２５を用いて膨張させる。これにより、手術台から接触部材１の最外端部が持ち上げられ、その結果、接触部材は、ベース部２に対して傾く。この位置において、接触部材１は、肩甲骨に対向する側方力を付与して、胸骨を閉じる。空気袋２４内の空気圧が減少するまで（胸骨の固定後）、膨張性空気袋は、グリップ位置において接触部材１を維持する。
【００７２】
接触部材１は、さらに、突出性要素である二次膨張性空気袋２６を備える。接触部材１がグリップ位置にある場合、接触部材１によって、肩甲骨に付与される対向する側方力は、さらに、図１４Ｃおよび図１５Ｃに示すように、二次膨張性空気袋２６を膨張させることによって増大されてもよい。二次膨張性空気袋２６は、図１６に示すように患者の正中線に対して横に並べられてもよいし、またはそれらは、図１７Ａ、図１７Ｂおよび図１７Ｃに示すように患者の正中線に対して平行に並べられてもよい。
【００７３】
図１７Ａ、図１７Ｂおよび図１７Ｃは、第３の実施形態と実質的に同一であるが、患者の正中線に並べられた二次膨張性空気袋２６を有し、３つの空気袋が各々の接触部材１の長さに延びる第４の好ましい実施形態を示す。図１７Ａは、二次膨張性空気袋２６が膨張していない状態のグリップ位置における第４の好ましい実施形態を示す。図１７Ｂおよび図１７Ｃは、二次膨張性空気袋２６が、患者の大きさに依存して選択的に膨張できる方法を示す。すなわち、患者の肩甲骨に近接する二次膨張性空気袋は、選択的に膨張できる。大きい患者について、最外二次膨張性空気袋は、図１７Ｂに示すように膨張でき、患者の肩甲骨に増大した力を与える。小さい患者について、最内二次膨張性空気袋は、図１７Ｃに示すように膨張できる。
【００７４】
図１８は、患者の正中線に並べられ、かつ、使用の際に接触するように配置された膨張性セルが設けられる、本発明の実施形態の斜視図を示す。
【００７５】
上記の実施形態は、本発明者らの例示の目的のためだけに与え、多くの変更および改変が当業者に容易に理解されるだろう。
【図１】
2010515475.tif 000003
【図２Ａ】
2010515475.tif 000004
【図２Ｂ】
2010515475.tif 000005
【図３】
2010515475.tif 000006
【図４】
2010515475.tif 000007
【図５】
2010515475.tif 000008
【図６】
2010515475.tif 000009
【図７Ａ】
2010515475.tif 000010
【図７Ｂ】
2010515475.tif 000011
【図８Ａ】
2010515475.tif 000012
【図８Ｂ】
2010515475.tif 000013
【図９Ａ】
2010515475.tif 000014
【図９Ｂ】
2010515475.tif 000015
【図１０】
2010515475.tif 000016
【図１１】
2010515475.tif 000017
【図１２】
2010515475.tif 000018
【図１３Ａ】
2010515475.tif 000019
【図１３Ｂ】
2010515475.tif 000020
【図１４Ａ】
2010515475.tif 000021
【図１４Ｂ】
2010515475.tif 000022
【図１４Ｃ】
2010515475.tif 000023
【図１５Ａ】
2010515475.tif 000024
【図１５Ｂ】
2010515475.tif 000025
【図１５Ｃ】
2010515475.tif 000026
【図１６】
2010515475.tif 000027
【図１７Ａ】
2010515475.tif 000028
【図１７Ｂ】
2010515475.tif 000029
【図１７Ｃ】
2010515475.tif 000030
【図１８】
2010515475.tif 000031
【国際調査報告】
2010515475.tif 000032
2010515475.tif 000033
2010515475.tif 000034
2010515475.tif 000035